【手続補正書】
【提出日】平成15年11月14日(2003.11.14)
【手続補正１】
【補正対象書類名】明細書
【補正対象項目名】発明の名称
【補正方法】変更
【補正の内容】
【発明の名称】測距位置調節装置及び測定装置の位置調節装置


【手続補正２】
【補正対象書類名】明細書
【補正対象項目名】特許請求の範囲
【補正方法】変更
【補正の内容】
【特許請求の範囲】
【請求項１】
所定の視差をもって異なる視野から対象物を見つめ、その輝度分布を測定するセンサアレイを有し、上記視差による対象物の上記輝度分布の差に基づいて上記対象物までの距離を測定する測距装置と、
上記測距装置の前方に配設された第１の反射率の平面チャートと、
上記平面チャートの前面に、上記視差の方向に離間して配置され、上記第１の反射率とは異なる第２の反射率を有し、上記視差の方向及び上記装置とチャートを結ぶ方向の二方向に対して直交する方向に移動自在の少なくとも２つの可動部材と、
を具備し、上記測距装置の測距有効範囲を測定することを特徴とした測距位置調節装置。
【請求項２】
所定の視差をもって異なる視野から対象物を見つめ、その輝度分布を測定するセンサアレイを有し、上記視差による対象物の上記輝度分布の差に基づいて上記対象物までの距離を測定する測距装置と、
上記測距装置の前方に配設された第１の反射率の平面上に、上記視差の方向に離間して配置され、上記視差の方向及び上記装置とチャートを結ぶ方向の二方向に対し直交する方向に延長された、上記第１の反射率とは異なる第２の反射率を有する少なくとも２本のパターンを有する測定チャートと、
を具備し、上記測距装置の測距有効範囲を測定することを特徴とした測距位置調節装置。
【請求項３】
所定の視差をもって異なる視野から対象物を見つめ、その輝度分布を測定するセンサアレイを有し、上記視差による対象物の上記輝度分布の差に基づいて上記対象物までの距離を測定する測距装置と、
上記測距装置とは異なる視野から被写体を観察するファインダと、
上記測距装置の前方である第２の方向に置かれた第１の反射率の平面上に、上記ファインダで観察するための指標を表示する表示部と、
上記測距装置の前方に配設された第１の反射率の平面上に、上記視差の方向に離間して配置され、上記視差の方向及び上記装置とチャートを結ぶ方向の二方向に対し直交する方向に延長された、上記第１の反射率とは異なる第２の反射率を有する少なくとも２本のパターンを有する測定チャートと、
を具備し、上記測距装置の測距有効範囲を測定することを特徴としたカメラの測距位置調節装置。
【請求項４】
第１の方向に配設され、所定の視差をもって異なる視野から対象物を見つめ、その輝度分布を測定するセンサアレイを有し、上記視差による上記対象物の上記輝度分布の差に従って、上記対象物までの距離を測定する測距装置の測距有効範囲を測定する測距装置と、
上記測距装置とは異なる視野から対象物を観察するファインダと、
上記測距装置の前方である第２の方向に置かれた所定反射率の平面上に、上記第１の方向に離間して配置され、上記チャートの異なる方向からチャート中心部に向かって、上記第１及び第２方向の二方向に対し直交する第３の方向に延長した、上記反射率とは異なる第２の反射率を有する二本のパターンからなる第１のパターン対と、同じ平面上に上記第１のパターン対とは上記第１、第３の方向に離れた位置に配置され、上記第１の方向に離間して配置され、上記チャートの異なる方向からチャート中心部に向かって、上記第１及び第２方向の二方向に対し直交する第３の方向に延長した、上記チャートの反射率とは異なる第２の反射率を有する二本のパターンからなる第２のパターン対とを有する測定チャートと、
を具備することを特徴とする測定装置の位置調整装置。
【手続補正３】
【補正対象書類名】明細書
【補正対象項目名】０００９
【補正方法】変更
【補正の内容】
【０００９】
また、第３の態様による測距位置調節装置は、所定の視差をもって異なる視野から対象物を見つめ、その輝度分布を測定するセンサアレイを有し、上記視差による対象物の上記輝度分布の差に基づいて上記対象物までの距離を測定する測距装置と、上記測距装置とは異なる視野から被写体を観察するファインダと、上記測距装置の前方である第２の方向に置かれた第１の反射率の平面上に、上記ファインダで観察するための指標を表示する表示部と、上記測距装置の前方に配設された第１の反射率の平面上に、上記視差の方向に離間して配置され、上記視差の方向及び上記装置とチャートを結ぶ方向の二方向に対し直交する方向に延長された、上記第１の反射率とは異なる第２の反射率を有する少なくとも２本のパターンを有する測定チャートとを具備し、上記測距装置の測距有効範囲を測定することを特徴とする。
また、第４の態様による測定装置の位置調節装置は、第１の方向に配設され、所定の視差をもって異なる視野から対象物を見つめ、その輝度分布を測定するセンサアレイを有し、上記視差による上記対象物の上記輝度分布の差に従って、上記対象物までの距離を測定する測距装置の測距有効範囲を測定する測距装置と、上記測距装置とは異なる視野から対象物を観察するファインダと、上記測距装置の前方である第２の方向に置かれた所定反射率の平面上に、上記第１の方向に離間して配置され、上記チャートの異なる方向からチャート中心部に向かって、上記第１及び第２方向の二方向に対し直交する第３の方向に延長した、上記反射率とは異なる第２の反射率を有する二本のパターンからなる第１のパターン対と、同じ平面上に上記第１のパターン対とは上記第１、第３の方向に離れた位置に配置され、上記第１の方向に離間して配置され、上記チャートの異なる方向からチャート中心部に向かって、上記第１及び第２方向の二方向に対し直交する第３の方向に延長した、上記チャートの反射率とは異なる第２の反射率を有する二本のパターンからなる第２のパターン対とを有する測定チャートとを具備することを特徴とする。
【手続補正４】
【補正対象書類名】明細書
【補正対象項目名】００１２
【補正方法】変更
【補正の内容】
【００１２】
また、第３の態様による測距位置調節装置では、ファインダを介して測距装置とは異なる視野から被写体が観察され、表示部により上記測距装置の前方である第２の方向に置かれた第１の反射率の平面上に上記ファインダで観察するための指標を表示され、上記測距装置の前方に配設された第１の反射率の平面上に、上記視差の方向に離間して配置され、上記視差の方向及び上記装置とチャートを結ぶ方向の二方向に対し直交する方向に延長された、上記第１の反射率とは異なる第２の反射率を有する少なくとも２本のパターンを有する測定チャートを用いて上記測距装置の測距有効範囲が測定される。
また、第４の態様による測定装置の位置調節装置では、測距装置は、第１の方向に配設されたセンサアレイを有し、当該センサアレイでは、所定の視差をもって異なる視野から対象物を見つめられ、その輝度分布が測定される。この視差による上記対象物の上記輝度分布の差に従って、上記対象物までの距離を測定する測距装置の測距有効範囲が測定される。ファインダは、この測距装置とは異なる視野から対象物を観察する。測定チャートは、上記測距装置の前方である第２の方向に置かれた所定反射率の平面上に、上記第１の方向に離間して配置され、上記チャートの異なる方向からチャート中心部に向かって、上記第１及び第２方向の二方向に対し直交する第３の方向に延長した、上記反射率とは異なる第２の反射率を有する二本のパターンからなる第１のパターン対と、同じ平面上に上記第１のパターン対とは上記第１、第３の方向に離れた位置に配置され、上記第１の方向に離間して配置され、上記チャートの異なる方向からチャート中心部に向かって、上記第１及び第２方向の二方向に対し直交する第３の方向に延長した、上記チャートの反射率とは異なる第２の反射率を有する二本のパターンからなる第２のパターン対とを有する。